(57)【要約】【課題】試験器が接続状態の電圧試験プラグをテストターミナルに抜き差しできる電圧試験プラグを提供する。【解決手段】電圧試験プラグ１０は、フレーム１、接続端子２、移動体３、及び圧縮コイルばね４を備える。フレーム１は、前面に端子板１１を配置し、絶縁板１３を突出している。絶縁板１３は、ガイド溝を形成した第１電極板１３ａを一方の面に有し、第２電極板１３ｂを他方の面に有する。移動体３は、第１電極板１３ａに接触しながら移動できる。接続端子２は、他端部に第１接点２１ｃを設け、試験器９に接続可能な第３ねじ端子２１を有する。圧縮コイルばね４は、移動体３と端子板１１が離間する力を付勢する。移動体３は、第１接点２１ｃに対向して配置された第２接点３３ａを有し、絶縁板１３をテストターミナルに所定の位置以上に挿入した状態では、第２接点３３ａが第１接点２１ｃに接触する。【選択図】図１
2013152107.tif 000002
【特許請求の範囲】
【請求項１】
電気装置に接続した第１ねじ端子、及び外部電源回路に接続した第２ねじ端子を外部に有し、前記第１ねじ端子に接続した第１コンタクト、及びこの第１コンタクトに対向配置され、前記第２ねじ端子に接続した第２コンタクトを内部に有する箱状のテストターミナルに挿入され、前記電気装置を試験するときには、前記第１コンタクトと前記第２コンタクトとの接続が切り離されて、前記第１コンタクト及び前記第１ねじ端子を介して、試験器を前記電気装置に接続可能な電圧試験プラグであって、
端子板を一方の面に配置し、前記第１コンタクトと前記第２コンタクトとの間に挿入可能な平板状の絶縁板を他方の面から突出させた箱状のフレームと、
一端部に前記試験器を接続でき、他端部に第１接点を設けた棒状の第３ねじ端子を有する前部端子、及び絶縁部材を介して前記第３ねじ端子の周囲を保持する円筒状の第４ねじ端子を有する後部端子で構成され、前記端子板に配置された一つ以上の接続端子と、
前記絶縁板の一方の面に固定され、上面が前記第１コンタクトに接触できると共に、両側面にガイド溝を形成した帯板状の第１電極板と、
前記絶縁板の他方の面に固定され、前記第２コンタクトに接触できると共に、前記第４ねじ端子の後端部に接続した帯状の第２電極板と、
前記第１電極板と接触を保ちながら、一対の前記ガイド溝に案内されて、当該第１電極板が延びる方向と略平行に移動可能な導電性を有する移動体と、
この移動体と前記端子板が離間する方向に力を付勢する付勢部材と、を備え、
前記移動体は、前記第１接点に対向して配置された第２接点を有し、
前記絶縁板を前記テストターミナルに挿入して、前記電気装置と前記外部電源回路が接続した状態から更に挿入すると、前記移動体が前記端子板に向かって移動し、前記第２接点が前記第１接点に接触する電圧試験プラグ。
【請求項２】
前記移動体は、前記第１電極板が延びる方向と直交する方向に絶縁部材を介して連設されている請求項１記載の電圧試験プラグ。
【請求項３】
前記移動体は、前記端子板に向かって突出し、先端部に鉤状片を設けたランスを有し、
前記フレームは、
前記ランスの鉤状片が係止でき、前記第２接点が前記第１接点に接触した第１の状態を維持する第１係合穴と、
前記ランスの鉤状片が係止でき、前記第２接点と前記第１接点が所定の距離で離間した第２の状態を維持する第２係合穴と、を有する請求項１又は２記載の電圧試験プラグ。
【請求項４】
前記フレームは、前記ランスの鉤状片を押して、前記第１の状態を解除する解除ボタンを更に有する請求項３記載の電圧試験プラグ。
【発明の詳細な説明】
【技術分野】
【０００１】
本発明は、電圧試験プラグに関する。特に、テストターミナルに接続して、電力用配電盤や継電器盤などの電気装置を保守、又は点検するときに用いられる電圧試験プラグの構造に関する。
【背景技術】
【０００２】
例えば、電力用配電盤、継電器盤、又は制御装置などの電気装置を保守、又は点検するときには、電気装置に備わる電圧回路を機能試験することがある。この場合、電気装置と外部電源回路（例えば、電力系統）とが電気接続されたテストターミナルに電圧試験プラグを挿入すると、電気装置と外部電源回路を切り離すことができる。そして、この電圧試験プラグに試験器を接続して、テストターミナルを介して、試験電圧を電気装置の電圧回路に印加できる。
【０００３】
図１０は、従来技術による電圧試験プラグの構成を示す図であり、図１０（Ａ）は、電圧試験プラグの斜視図、図１０（Ｂ）は、電圧試験プラグの平面図である。図１１は、従来技術による電圧試験プラグ及びテストターミナルの縦断面図であり、図１１（Ａ）は、電圧試験プラグをテストターミナルに挿入する前の状態図、図１１（Ｂ）は、電圧試験プラグをテストターミナルに挿入する途上の状態図、図１１（Ｃ）は、電圧試験プラグをテストターミナルに完全に挿入した状態図である。
【０００４】
図１０又は図１１を参照すると、従来技術による電圧試験プラグ７０は、箱状のフレーム７と四つの接続端子７ｔで構成している。図示された電圧試験プラグ７０は、四極の電圧試験プラグを例示している。フレーム７は、絶縁性の端子板７１と絶縁性のカバー７２で構成している。端子板７１には、接続端子７ｔを取り付けている。接続端子７ｔは、スタッガード（千鳥格子）状に配列されている。カバー７２は、端子板７１の後面側を覆っている。なお、図１１では、下段側の接続端子７ｔの図示を省略している。
【０００５】
図１０又は図１１を参照すると、電圧試験プラグ７０は、平板状の絶縁板７３を更に備えている。絶縁板７３は、カバー７２の後面側に突出するように配置されている。絶縁板７３は、その一方の面（上面）に、４つの帯状の上側電極板７３ａを取り付けている。これらの上側電極板７３ａは、略平行に延びるように配置されている。又、絶縁板７３は、その他方の面（下面）に、４つの帯状の下側電極板７３ｂを取り付けている。これらの下側電極板７３ｂは、略平行に延びるように配置されている。上側電極板７３ａと下側電極板７３ｂとは、絶縁板７３を間にして相反する面に配置されている。
【０００６】
図１０又は図１１を参照すると、接続端子７ｔは、前部端子７１ｔと後部端子７２ｔで構成している。前部端子７１ｔは、導電性を有する棒状のねじ端子７１ａで構成され、先端部側の外周には雄ねじを形成している。ねじ端子７１ａは、絶縁性を有するつまみ７１ｂを先端部側に螺合させている。又、ねじ端子７１ａは、上側電極板７３ａの端部を基端部側に固定している（図１１参照）。つまみ７１ｂを回して、試験器９から延出するケーブル９ｗの端末をねじ端子７１ａに締結すると、試験器９と上側電極板７３ａを電気接続できる。
【０００７】
図１０又は図１１を参照すると、後部端子７２ｔは、導電性を有する円筒状のねじ端子７２ａで構成され、先端部側の外周には雄ねじを形成している。ねじ端子７２ａは、絶縁部材を介して、ねじ端子７１ａを保持すると共に、導電性を有するナット部材７２ｂを先端部側に螺合させている。又、ねじ端子７２ａは、下側電極板７３ｂの端部を基端部側に固定している（図１１参照）。つまり、ねじ端子７２ａと下側電極板７３ｂは、電気的に接続されている。ナット部材７２ｂを回して、図示しないケーブルの端末をねじ端子７２ａに締結できる。
【０００８】
図１１を参照すると、テストターミナル８０は、配電盤などの機器１００に取り付けられている。テストターミナル８０は、内部に空洞を有する箱形のケース８１で構成され、絶縁性を有する前面板８１ｆに設けた矩形の開口８ｋから電圧試験プラグ７０（絶縁板７３）を挿入できる（図１１（Ａ）参照）。
【０００９】
図１１を参照すると、ケース８１の後面には、端子板８１ｒを配置している。端子板８１ｒには、一組のねじ端子８１ｔ・８２ｔを取り付けている。上段のねじ端子８１ｔには、継電器盤などの電気装置８ｒを電気接続している。下段のねじ端子８２ｔには、外部電源回路８ｐを電気接続している。
【００１０】
図１１を参照すると、テストターミナル８０は、一対の対向するベローズ形の第１コンタクト８１ａ・第２コンタクト８１ｂをケース８１の内部に備えている。又、テストターミナル８０は、一対の圧縮コイルばね８２ａ・８２ｂ、及び一対の帯状の導電板８３ａ・８３ｂをケース８１の内部に備えている。
【００１１】
図１１（Ａ）を参照すると、導電板８３ａは、ねじ端子８１ｔに端部が接続されると共に、第１コンタクト８１ａに接続している。そして、第１コンタクト８１ａの基端部は、導電板８３ｂに導通した分岐導電板８３ｄに接触している。同様に、導電板８３ｂは、ねじ端子８２ｔに端部が接続されると共に、第２コンタクト８１ｂに接続している。そして、第２コンタクト８１ｂの基端部は、導電板８３ａに導通した分岐導電板８３ｃに接触している。このように、電圧試験プラグ７０をテストターミナル８０に挿入しない状態では、電気装置８ｒと外部電源回路８ｐとが電気接続されている。
【００１２】
図１１（Ａ）に示された状態から、図１１（Ｂ）に示すように、電圧試験プラグ７０をテストターミナル８０に挿入すると、上側電極板７３ａを第１コンタクト８１ａに接続できると共に、下側電極板７３ｂを第２コンタクト８１ｂに接続できる。
【００１３】
図１１（Ｂ）に示された状態から、図１１（Ｃ）に示すように、電圧試験プラグ７０をテストターミナル８０に完全に挿入すると、圧縮コイルばね８２ａに抗して、第１コンタクト８１ａの基端部側を変位させ、分岐導電板８３ｄとの接続を切り離すことができる。同時に、圧縮コイルばね８２ｂに抗して、第２コンタクト８１ｂの基端部側を変位させ、分岐導電板８３ｃとの接続を切り離すことができる。つまり、電気装置８ｒと外部電源回路８ｐとの接続を切り離すことができる。そして、テストターミナル８０を介して、試験器９の試験電圧を電気装置８ｒの電圧回路に印加できる。
【００１４】
図１１（Ｃ）に示すように、電圧試験プラグ７０をテストターミナル８０に完全に挿入した状態では、電気装置８ｒと外部電源回路８ｐとの接続が切り離されているので、電気装置８ｒに電源を供給することが困難である。そこで、図示しない短絡金具を用いて、ねじ端子７１ａと後部端子７２ｔを短絡すれば（図１０参照）、電圧試験プラグ７０をテストターミナル８０に完全に挿入した状態で、電気装置８ｒと外部電源回路８ｐを電気接続できる。
【００１５】
ところで、図１１（Ｂ）に示されるように、試験器９を電圧試験プラグ７０に接続した状態で、電圧試験プラグ７０をテストターミナル８０に抜き差しする場合がある。この場合、瞬間的に、電気装置８ｒと外部電源回路８ｐが接続されると共に、試験器９と外部電源回路８ｐが接続されることにより、外部電源回路８ｐが短絡状態になり、外部電源回路８ｐに備えたヒューズが切れる、又は電気装置８ｒが誤動作するなどの不具合を発生させることがある。
【００１６】
このような不具合を解消するため、試験器によって継電器盤などの電気装置を試験するときに、電気装置又は外部電源回路に誤動作又は損傷が生じることのない、電圧試験プラグ及びテストターミナルが開示されている（例えば、特許文献１参照）。
【００１７】
特許文献１による電圧試験プラグは、試験器が非接続であることを確認する確認回路を内部に備えている。一方、特許文献１によるテストターミナルは、試験器が接続された電圧試験プラグを阻止又はロックする電気ソレノイドを備えている。これにより、試験器が接続状態の電圧試験プラグをテストターミナルに抜き差しすることを阻止できる。したがって、電気装置又は外部電源回路に誤動作又は損傷が生じることを防止できる。
【先行技術文献】
【特許文献】
【００１８】
【特許文献１】特開平７−１２８４４号公報
【発明の概要】
【発明が解決しようとする課題】
【００１９】
しかし、特許文献１による電圧試験プラグは、試験器を接続しない状態でテストターミナルに挿入し、その後、電圧試験プラグに試験器を接続している。又、電圧試験プラグと試験器の接続を解除した後に、テストターミナルから電圧試験プラグを引き抜いている。このように、特許文献１による電圧試験プラグは、試験器との接続と解除を繰り返すので、作業効率に優れないという問題がある。試験器が接続状態の電圧試験プラグをテストターミナルに抜き差ししても、電気装置又は外部電源回路に誤動作又は損傷が生じることのない、作業効率に優れた電圧試験プラグが求められている。
【００２０】
又、特許文献１による電圧試験プラグは、試験器が非接続であることを確認する確認回路を内部に備えている。又、特許文献１によるテストターミナルは、電気ソレノイドを備えている。したがって、特許文献１による電圧試験プラグ及びテストターミナルは、構成を複雑にしているという問題がある。電気装置又は外部電源回路に誤動作又は損傷が生じることなく、電圧試験の作業効率を向上させると共に、構成が簡易な電圧試験プラグが求められている。そして、以上のことが本発明の課題といってよい。
【００２１】
本発明は、このような課題に鑑みてなされたものであり、電気装置又は外部電源回路に誤動作又は損傷が生じることなく、電圧試験の作業効率を向上させると共に、構成が簡易な電圧試験プラグを提供することを目的とする。
【課題を解決するための手段】
【００２２】
本発明者らは、通常、電気装置に接続される上側電極板と試験器に接続される前部端子との接続が電圧試験プラグの内部で切り離されているが、電圧試験プラグをテストターミナルに完全に挿入すると、上側電極板が移動して前部端子と接続する移動機構を電圧試験プラグに設けることにより、これらの課題を解消できると考え、これに基づいて、以下のような新たな電圧試験プラグを発明するに至った。
【００２３】
（１）本発明による電圧試験プラグは、電気装置に接続した第１ねじ端子、及び外部電源回路に接続した第２ねじ端子を外部に有し、前記第１ねじ端子に接続した第１コンタクト、及びこの第１コンタクトに対向配置され、前記第２ねじ端子に接続した第２コンタクトを内部に有する箱状のテストターミナルに挿入され、前記電気装置を試験するときには、前記第１コンタクトと前記第２コンタクトとの接続が切り離されて、前記第１コンタクト及び前記第１ねじ端子を介して、試験器を前記電気装置に接続可能な電圧試験プラグであって、端子板を一方の面に配置し、前記第１コンタクトと前記第２コンタクトとの間に挿入可能な平板状の絶縁板を他方の面から突出させた箱状のフレームと、一端部に前記試験器を接続でき、他端部に第１接点を設けた棒状の第３ねじ端子を有する前部端子、及び絶縁部材を介して前記第３ねじ端子の周囲を保持する円筒状の第４ねじ端子を有する後部端子で構成され、前記端子板に配置された一つ以上の接続端子と、前記絶縁板の一方の面に固定され、上面が前記第１コンタクトに接触できると共に、両側面にガイド溝を形成した帯板状の第１電極板と、前記絶縁板の他方の面に固定され、前記第２コンタクトに接触できると共に、前記第４ねじ端子の後端部に接続した帯状の第２電極板と、前記第１電極板と接触を保ちながら、一対の前記ガイド溝に案内されて、当該第１電極板が延びる方向と略平行に移動可能な導電性を有する移動体と、この移動体と前記端子板が離間する方向に力を付勢する付勢部材と、を備え、前記移動体は、前記第１接点に対向して配置された第２接点を有し、前記絶縁板を前記テストターミナルに挿入して、前記電気装置と前記外部電源回路が接続した状態から更に挿入すると、前記移動体が前記端子板に向かって移動し、前記第２接点が前記第１接点に接触する。
【００２４】
（２）前記移動体は、前記第１電極板が延びる方向と直交する方向に絶縁部材を介して連設されていることが好ましい。
【００２５】
（３）前記移動体は、前記端子板に向かって突出し、先端部に鉤状片を設けたランスを有し、前記フレームは、前記ランスの鉤状片が係止でき、前記第２接点が前記第１接点に接触した第１の状態を維持する第１係合穴と、前記ランスの鉤状片が係止でき、前記第２接点と前記第１接点が所定の距離で離間した第２の状態を維持する第２係合穴と、を有することが好ましい。
【００２６】
（４）前記フレームは、前記ランスの鉤状片を押して、前記第１の状態を解除する解除ボタンを更に有することが好ましい。
【発明の効果】
【００２７】
本発明による電圧試験プラグは、一端部に試験器を接続でき、他端部に第１接点を設けた接続端子と、電気装置に接続可能な第１電極板と接触を保ちながら、移動可能な移動体と、備え、通常は、移動体に設けた第２接点と第１接点が離間しているが、電圧試験プラグをテストターミナルに挿入して、電気装置と外部電源回路が接続した状態から更に挿入すると、移動体が端子板に向かって移動し、第２接点が第１接点に接触できる。本発明による電圧試験プラグは、試験器が接続状態の電圧試験プラグをテストターミナルに抜き差ししても、電気装置又は外部電源回路に誤動作又は損傷が生じることを防止できる。
【図面の簡単な説明】
【００２８】
【図１】本発明の一実施形態による電圧試験プラグの構成を示す斜視図である。
【図２】前記実施形態による電圧試験プラグの構成を示す平面図であり、フレームを横断面で示している。
【図３】前記実施形態による電圧試験プラグの構成を示す正面図である。
【図４】図２のＡ−Ａ矢視断面図である。
【図５】図２のＢ−Ｂ矢視断面図である。
【図６】前記実施形態による電圧試験プラグの構成を示す背面図である。
【図７】前記実施形態による電圧試験プラグ及びテストターミナルの縦断面図であり、電圧試験プラグをテストターミナルに挿入する途上の状態図である。
【図８】前記実施形態による電圧試験プラグ及びテストターミナルの縦断面図であり、電圧試験プラグをテストターミナルに完全に挿入した状態図である。
【図９】前記実施形態による電圧試験プラグに備わるロック機構の縦断面であり、図９（Ａ）は、移動体が通常状態で保持されている状態図、図９（Ｂ）は、移動体がテストターミナルに押されて電圧試験プラグの内部に移動して状態図である。
【図１０】従来技術による電圧試験プラグの構成を示す図であり、図１０（Ａ）は、電圧試験プラグの斜視図、図１０（Ｂ）は、電圧試験プラグの平面図である。
【図１１】従来技術による電圧試験プラグ及びテストターミナルの縦断面図であり、図１１（Ａ）は、電圧試験プラグをテストターミナルに挿入する前の状態図、図１１（Ｂ）は、電圧試験プラグをテストターミナルに挿入する途上の状態図、図１１（Ｃ）は、電圧試験プラグをテストターミナルに完全に挿入した状態図である。
【発明を実施するための形態】
【００２９】
以下、図面を参照して本発明を実施するための形態を説明する。
［電圧試験プラグの構成］
最初に、本発明の一実施形態による電圧試験プラグの構成を説明する。図１は、本発明の一実施形態による電圧試験プラグの構成を示す斜視図である。図２は、前記実施形態による電圧試験プラグの構成を示す平面図であり、フレームを横断面で示している。図３は、前記実施形態による電圧試験プラグの構成を示す正面図である。図４は、図２のＡ−Ａ矢視断面図である。
【００３０】
図５は、図２のＢ−Ｂ矢視断面図である。図６は、前記実施形態による電圧試験プラグの構成を示す背面図である。なお、従来技術で説明した符号と同じ符号を付した構成品は、その作用を同じとするので、以下では説明を割愛する場合がある。
【００３１】
図１から図３を参照すると、本発明の一実施形態による電圧試験プラグ１０は、箱状のフレーム１と四つの接続端子２で構成している。図示された電圧試験プラグ１０は、四極の電圧試験プラグを例示している。フレーム１は、絶縁性のカバー１２の前面に絶縁性の端子板１１を取り付けている。端子板１１には、接続端子２を取り付けている。接続端子２は、一列に配置されている（図３参照）。
【００３２】
（電極板の構成）
図１から図３を参照すると、電圧試験プラグ１０は、平板状の絶縁板１３を更に備えている。絶縁板１３は、カバー１２の後面側に突出するように配置されている。絶縁板１３は、その一方の面（上面）に、４つの帯状の第１電極板１３ａを取り付けている。これらの第１電極板１３ａは、略平行に延びるように配置されている。又、これらの第１電極板１３ａは、方形のガイド溝１３１・１３１を両側面に形成している（図５又は図６参照）。
【００３３】
又、図１から図３を参照すると、絶縁板１３は、その他方の面（下面）に、４つの帯状の第２電極板１３ｂを取り付けている。これらの第２電極板１３ｂは、略平行に延びるように配置されている。第１電極板１３ａと第２電極板１３ｂとは、絶縁板１３を間にして相反する面に配置されている。
【００３４】
図１又は図２を参照して、テストターミナル８０の前部に設けた開口８ｋ（図１１（Ａ）参照）に絶縁板１３を挿入すると、第１コンタクト８１ａと第２コンタクト８１ｂの接続を切り離して、第１電極板１３ａの上面を第１コンタクト８１ａに接続できる（図８参照）。そして、電気装置８ｒを第１電極板１３ａに接続できる（図８参照）。
【００３５】
又、図１又は図２を参照して、テストターミナル８０の前部に設けた開口８ｋ（図１１（Ａ）参照）に絶縁板１３を挿入すると、第１コンタクト８１ａと第２コンタクト８１ｂの接続を切り離して、第２電極板１３ｂを第２コンタクト８１ｂに接続できる（図８参照）。そして、外部電源回路８ｐを第２電極板１３ｂに接続できる（図８参照）。
【００３６】
（接続端子の構成）
図１又は図２を参照すると、接続端子２は、前部端子２１と後部端子２２で構成している。前部端子２１は、導電性を有する棒状の第３ねじ端子２１ａで構成され、先端部側の外周には雄ねじを形成している。第３ねじ端子２１ａは、絶縁性を有するつまみ２１ｂを先端部側に螺合させている。又、第３ねじ端子２１ａの後端部には、第１接点２１ｃを設けている。つまみ２１ｂを回して、試験器９から延出するケーブル９ｗの端末を第３ねじ端子２１ａに締結すると（図１０（Ｂ）参照）、試験器９と前部端子２１を電気接続できる。
【００３７】
図１又は図２を参照すると、後部端子２２は、導電性を有する円筒状の第４ねじ端子２２ａで構成され、先端部側の外周には雄ねじを形成している。第４ねじ端子２２ａは、絶縁部材を介して、第３ねじ端子２１ａを保持すると共に、導電性を有するナット部材２２ｂを先端部側に螺合させている。又、第４ねじ端子２２ａは、第２電極板１３ｂの端部を基端部側に固定している（図７又は図８参照）。つまり、第４ねじ端子２２ａと第２電極板１３ｂは、電気的に接続されている。ナット部材２２ｂを回して、図示しないケーブルの端末を第４ねじ端子２２ａに締結できる。
【００３８】
（移動体の構成）
図１又は図２及び図５又は図６を参照すると、電圧試験プラグ１０は、導電性を有する直方体状の移動体３を更に備えている。移動体３は、一対のガイド溝１３１・１３１に嵌合可能な突片３ａ・３ａを基端部に形成している（図５又は図６参照）。そして、移動体３は、第１電極板１３ａと接触を保ちながら、一対のガイド溝１３１・１３１に案内されて、第１電極板１３ａが延びる方向と略平行に移動できる。
【００３９】
図１又は図２及び図５又は図６を参照すると、四つの移動体３は、第１電極板１３ａが延びる方向と直交する方向に絶縁部材３１を介して連設されている。つまり、四つの移動体３は、一体になって、第１電極板１３ａが延びる方向と略平行に移動できる。又、これらの移動体３の背面及び上面は、絶縁性を有するカバー３２で覆われている（図７又は図８参照）。
【００４０】
図１又は図２を参照すると、移動体３は、Ｕ字状に屈曲した接点ばね３３を前面側に固定している。接点ばね３３の自由端は、第１接点２１ｃに対向して配置された第２接点３３ａとなっている（図７参照）。そして、移動体３を端子板１１に向かって移動すると、第２接点３３ａを第１接点２１ｃに接触（接続）できる（図８参照）。
【００４１】
（付勢部材の構成）
図２を参照すると、電圧試験プラグ１０は、一組の付勢部材となる圧縮コイルばね４・４を内部に備えている。圧縮コイルばね４の一端部は、端子板１１の背面側に突出した受け座１３ｃに保持されている（図４参照）。圧縮コイルばね４の他端部は、絶縁部材３１の前面側に突出した受け座３１ａに保持されている（図５参照）。そして、これらの圧縮コイルばね４・４は、移動体３と端子板１１が離間する方向に力を付勢している。
【００４２】
［電圧試験プラグの作用］
次に、実施形態による電圧試験プラグ１０の構成を補足しながら、電圧試験プラグ１０の作用及び効果を説明する。図７は、前記実施形態による電圧試験プラグ及びテストターミナルの縦断面図であり、電圧試験プラグをテストターミナルに挿入する途上の状態図である。図８は、前記実施形態による電圧試験プラグ及びテストターミナルの縦断面図であり、電圧試験プラグをテストターミナルに完全に挿入した状態図である。
【００４３】
図９は、前記実施形態による電圧試験プラグに備わるロック機構の縦断面であり、図９（Ａ）は、移動体が通常状態で保持されている状態図、図９（Ｂ）は、移動体がテストターミナルに押されて電圧試験プラグの内部に移動して状態図である。
【００４４】
図１又は図２を参照すると、通常、電圧試験プラグ１０は、一組の圧縮コイルばね４・４に付勢されて、移動体３に設けた第２接点３３ａと第１接点２１ｃが離間している（図７参照）。図７に示すように、電圧試験プラグ１０をテストターミナル８０に挿入すると、第１電極板１３ａを第１コンタクト８１ａに接続できると共に、第２電極板１３ｂを第２コンタクト８１ｂに接続できる。
【００４５】
図７を参照すると、試験器９のケーブル９ｗの端末が接続端子２に接続され、第１コンタクト８１ａ及び第２コンタクト８１ｂを介して、電気装置８ｒと外部電源回路８ｐが瞬間的に接続されるが、移動体３に設けた第２接点３３ａと第１接点２１ｃが離間しているので、電気装置８ｒと外部電源回路８ｐが断絶されると共に、試験器９と外部電源回路８ｐが断絶されることにより、電気装置８ｒ又は外部電源回路８ｐに誤動作又は損傷が生じることを防止できる。
【００４６】
図８に示すように、試験器９が接続された電圧試験プラグ１０をテストターミナル８０に更に挿入された状態では、第３ねじ端子２１ａ→第１接点２１ｃ→接点ばね３３→移動体３→第１電極板１３ａ→第１コンタクト８１ａ→導電板８３ａ→ねじ端子８１ｔの経路を経て、試験器９を電気装置８ｒに接続している。そして、試験電圧を電気装置８ｒの電圧回路に印加できる。
【００４７】
図８に示された状態から、試験器９が接続された電圧試験プラグ１０をテストターミナル８０から引き抜くと、図７に示された状態に戻り、電気装置８ｒ又は外部電源回路８ｐに誤動作又は損傷が生じることを防止できる。実施形態による電圧試験プラグ１０は、試験器９が接続状態の電圧試験プラグ１０をテストターミナル８０に抜き差ししても、電気装置８ｒ又は外部電源回路８ｐに誤動作又は損傷が生じることを防止できる。
【００４８】
（ロック機構の構成及び作用）
次に、実施形態による電圧試験プラグ１０に備わるロック機構の構成及び作用を説明する。図５又は図９を参照すると、複数の移動体３を覆うカバー３２には、ランス３２ｒを上部の中央部に設けている。ランス３２ｒは、端子板１１に向かって突出するように配置され、先端部の鉤状片３２１を設けている。
【００４９】
一方、図９を参照すると、フレーム１は、ランス３２ｒの鉤状片３２１が係止できる第１係合穴１ｈと第２係合穴２ｈをカバー１２の上面に開口している。図８又は図９（Ｂ）を参照して、第１係合穴１ｈに鉤状片３２１が係止しているときは、第２接点３３ａが第１接点２１ｃに接触した第１の状態を維持できる。一方、図７又は図９（Ａ）を参照して、第２係合穴２ｈに鉤状片３２１が係止しているときは、第２接点３３ａと第１接点２１ｃが所定の距離で離間した第２の状態を維持できる。
【００５０】
図６又は図９を参照すると、フレーム１は、基端部がカバー１２の上面に結合した、片持ち状の弾性片１２ｒを備えている。弾性片１２ｒの先端部には、解除ボタン１２ｂを設けている。解除ボタン１２ｂは、第１係合穴１ｈの上方に配置されている。
【００５１】
図９（Ｂ）に示された状態から、解除ボタン１２ｂを押すと、ランス３２ｒの鉤状片３２１が下方に撓むと共に、一組の圧縮コイルばね４・４に付勢されて（図２参照）、第２接点３３ａが第１接点２１ｃに接触した第１の状態を解除できる。そして、第２接点３３ａと第１接点２１ｃが所定の距離で離間した第２の状態に復帰できる（図９（Ａ）参照）。
【００５２】
本発明による電圧試験プラグは、以下の効果が期待できる。
（１）試験器を接続した状態の電圧試験プラグをテストターミナルに抜き差ししても、試験器と外部電源回路との短絡を防止でき、電気装置と外部電源回路を接続した運転状態での影響は排除でき、作業の安全性を向上できる。
（２）試験器を切り離すことなく、電圧試験プラグをテストターミナルに抜き差しでき、作業効率を向上できる。
（３）複数の電気装置を試験するときに、その都度、試験器の接続を解除する必要がなく、大幅に作業時間を短縮できる。
【００５３】
本発明による電圧試験プラグは、実施の形態に限定されない。例えば、フレームに配置される接続端子は、三極であってもよく、二極であってもよい。端子板には、複数の接続端子を実施形態に示すように一列に配置してもよく、複数の接続端子を従来技術に示すようにスタッガード（千鳥格子）状に配列してもよい。
【符号の説明】
【００５４】
１  フレーム
２  接続端子
３  移動体
４  圧縮コイルばね（付勢部材）
８ｐ  外部電源回路
８ｒ  電気装置
９  試験器
１０  電圧試験プラグ
１１  端子板
１２  カバー
１３  絶縁板
１３ａ  第１電極板
１３ｂ  第２電極板
２１  前部端子
２１ａ  第３ねじ端子
２１ｃ  第１接点
２２  後部端子
２２ａ  第４ねじ端子
３３ａ  第２接点
８０  テストターミナル
８１ａ  第１コンタクト
８１ｂ  第２コンタクト
８１ｔ  第１ねじ端子
８２ｔ  第２ねじ端子
１３１  ガイド溝
【図１】
2013152107.tif 000003
【図２】
2013152107.tif 000004
【図３】
2013152107.tif 000005
【図４】
2013152107.tif 000006
【図５】
2013152107.tif 000007
【図６】
2013152107.tif 000008
【図７】
2013152107.tif 000009
【図８】
2013152107.tif 000010
【図９】
2013152107.tif 000011
【図１０】
2013152107.tif 000012
【図１１】
2013152107.tif 000013